(57)【要約】【課題】  剥離開始端部のミシン目を容易に破断して、捲り上げるという剥離開始動作を容易に行えるようにする一方、取扱中に不用意に剥離することのない三つ折り葉書を提供する。【課題の解決手段】  三つ折り葉書２１は、第１紙片４、第２紙片５、第３紙片６をＺ字状に折り重ね接着してなり、重ね合わせ面を剥離困難に接着した第１紙片４と第２紙片５の折り用ミシン目２側の隅部に、マイクロミシン目で剥離開始端部１２を形成し、この剥離開始端部１２に対応する第２紙片５と第３紙片６の剥離可能な重ね合わせ接着面の部分は剥離困難に接着することにより、取扱中に剥離開始端部１２が不用意に剥離することがなく、また、破断が容易なマイクロミシン目を破断して２枚の紙片４，５が重なった剥離開始端を摘んで容易に捲り上げることができる。【選択図】    図４
2005132010.tif 000002
【特許請求の範囲】
【請求項１】
折り部を介して連接した第１紙片、第２紙片、第３紙片の３紙片を前記折り部で折り重ね、前記第１紙片と前記第２紙片の重ね合わせ面は剥離困難に接着する一方、前記第３紙片と前記第２紙片または前記第１紙片の重ね合わせ面は情報を表示するとともに剥離可能に接着し、剥離困難に接着した前記第１紙片と前記第２紙片のうち表出している面を宛名表示面とし、前記第１、第２紙片におけるこれら両紙片を折り重ねる折り部側の隅部には、前記折り部から斜めに伸びるマイクロミシン目を互いに重なるように設けて剥離開始端部を形成し、この剥離開始端部に対応する前記剥離可能な重ね合わせ接着面の部分は剥離困難に接着してなることを特徴とする三つ折り葉書。
【請求項２】
剥離開始端部に対応する剥離困難な重ね合わせ接着面の部分及びこの部分に隣接する部分は、接着力をより強くしたことを特徴とする請求項１記載の三つ折り葉書。
【発明の詳細な説明】
【技術分野】
【０００１】
本発明は、折り部を介して連接した第１紙片、第２紙片、第３紙片の３紙片を、前記折り部でＺ状あるいは巻き込み状に折り重ね、前記第１紙片と前記第２紙片の重ね合わせ面は剥離困難に接着する一方、前記第３紙片と前記第２紙片または前記第１紙片の重ね合わせ面は情報を表示するとともに剥離可能に接着し、剥離困難に接着した前記第１紙片と前記第２紙片のうち表出している面を宛名表示面としてなる三つ折り葉書に関する。
【背景技術】
【０００２】
従来から、剥離可能な重ね合わせ接着面を有する三つ折り葉書において、この重ね合わせ面の剥離開始動作を容易に行うために、剥離開始端部に、切り欠きによる指掛け部分を設けたり、容易に破断するミシン目を設けるとともに接着力を弱めることが行われているが、剥離開始動作は容易になる一方、取扱中不用意に剥離してしまうことがあった。この点を改良したものとして、剥離可能な重ね合わせ面を形成する紙片のうち表出する紙片に、一端に剥離困難な部分を設けるとともに、この部分に沿って折り破断ミシン目を設け、このミシン目を破断して破断部分から表出する紙片を捲り上げる構成が提案されている。
【特許文献１】実用新案登録第２５９８８２８号公報
【発明の開示】
【発明が解決しようとする課題】
【０００３】
しかしながらこの改良提案は、紙片の一端に沿って設けたミシン目全体を破断するのは、幼児や老人など指先を器用に動かせない者にとっては容易でなく、また、１枚の表出紙片を捲り上げるので、紙片が薄いと破断した端部を摘みにくいという不都合がある。本発明は、この不都合を解消して、より容易にミシン目を破断できるとともに、捲り上げるという剥離開始動作を容易に行えるようにする一方、取扱中に不用意に剥離することのない三つ折り葉書を提供することを目的とする。
【課題を解決するための手段】
【０００４】
この目的を達成するため、本発明の請求項１に係る三つ折り葉書は、折り部を介して連接した第１紙片、第２紙片、第３紙片の３紙片を前記折り部で折り重ね、前記第１紙片と前記第２紙片の重ね合わせ面は剥離困難に接着する一方、Ｚ字状に折り重ねた場合は前記第３紙片と前記第２紙片の重ね合わせ面、また巻き込み状に折り重ねた場合は前記第３紙片と前記第１紙片の重ね合わせ面に、情報を表示するとともに剥離可能に接着し、剥離困難に接着した前記第１紙片と前記第２紙片のうち表出している面を宛名表示面とし、前記第１、第２紙片におけるこれら両紙片を折り重ねる折り部側の隅部には、前記折り部から斜めに伸びるマイクロミシン目を互いに重なるように設けて、例えば三角形状の剥離開始端部を形成し、この剥離開始端部に対応する前記剥離可能な重ね合わせ接着面の部分は剥離困難に接着したものである。
【０００５】
同じく上記目的を達成するために、本発明の請求項２に係る三つ折り葉書は、上述した請求項１の構成において、剥離開始端部に対応する剥離困難な重ね合わせ接着面の部分及びこの部分に隣接する部分は、接着力をより強くしたものである。
【発明の効果】
【０００６】
本発明の請求項１に係る三つ折り葉書によれば、重ね合わせ面を剥離困難に接着した第１紙片と第２紙片の折り部側の隅部に、マイクロミシン目で剥離開始端部を形成し、この剥離開始端部に対応する第２紙片と第３紙片、または第１紙片と第３紙片の剥離可能な重ね合わせ接着面の部分は剥離困難に接着したので、取扱中に剥離開始端が不用意に剥離することがなく、また、破断が容易なマイクロミシン目を破断して２枚の紙片が重なった剥離開始端から捲り上げるので、１枚の紙片よりも適宜な厚みと硬さを有するため摘み易く、剥離開始動作が容易であるという効果を奏する。
【０００７】
本発明の請求項２に係る三つ折り葉書によれば、上述した請求項１に係る三つ折り葉書の奏する効果に加えて、剥離開始端部に対応する剥離困難な重ね合わせ接着面の部分及びこの部分に隣接する部分をより強い接着力で接着したので、剥離開始端を摘む際に、２枚の紙片が剥離する虞はなく、容易かつ確実に摘み上げることができるという効果を奏する。
【発明を実施するための最良の形態】
【０００８】
以下、本発明を商品注文葉書に適用した場合の好適な実施形態を添付図面に基づいて説明する。ここにおいて、図１〜図４はＺ字状に折り重ねる実施形態を示し、図１は三つ折り葉書となる葉書用紙の表面側を示す平面図、図２は同じく裏面側を示す平面図、図３は三つ折り葉書を示す断面図、図４は剥離状態を示す斜視図であり、また、図５及び図６は巻き込み状に折り重ねる実施形態を示し、図５は三つ折り葉書となる葉書用紙の表面側の平面図、図６は三つ折り葉書の斜視図である。
【０００９】
まず、Ｚ字状に折り重ねる実施形態を図１〜図４に基づき説明する。図１及び図２に示すように、葉書用紙１は、折り部たる折り用ミシン目２，３を介して連接した第１紙片４、第２紙片５、第３紙片６からなる。第１紙片４の表面側が宛名表示面となり、葉書表示７が設けられている。図示では、葉書用紙１は単片状態にあるが、折り兼切り用ミシン目を介して天地方向に連続する、連続用紙として構成することもできる。この連続用紙として構成する場合には、通常、葉書用紙１の幅方向両側に、マージナル孔を等間隔に多数透設したマージナル部を設ける。
【００１０】
第１紙片４と第２紙片５の重ね合わせ面である各裏面側には、図２には示していないが、図３で理解できるように、通常状態では接着性を有さず、所定の圧をかけると接着可能となり、一旦接着すると剥離困難な感圧性接着剤８を塗布している。また、第２紙片５と第３紙片６の重ね合わせ面である各表面側には、図１には示していないが、図３で理解できるように、印字および印刷適性を有するとともに、通常状態では接着性を有さず、所定の圧をかけると接着可能となり、一旦接着した後にも剥離可能な感圧性接着剤９を塗布している。
【００１１】
図１で明らかなように、第１紙片４と第２紙片５における折り用ミシン目２側の隅部には、前記折り用ミシン目２から斜めに伸びるマイクロミシン目１０，１１を互いに重なるようにそれぞれ設けて三角形状の剥離開始端部１２を形成している。この剥離開始端部１２に対応する前記第２紙片５と第３紙片６との剥離可能な重ね合わせ接着面の部分には、感圧性接着剤８と同様の剥離困難な感圧性接着剤１３ａ，１３ｂを設けている。
【００１２】
図２に示すように、第１紙片４と第２紙片５の裏面である剥離困難な重ね合わせ接着面には、剥離開始端部１２に対応する部分及びこの部分に隣接する部分に、公知の接着力増強剤１４を設けて、感圧性接着剤８の接着力をより強くしている。
【００１３】
続いて、以上のように構成した葉書用紙１から図３及び図４に示す三つ折り葉書２１を作成する手順について説明する。まず、葉書用紙１の表面側に、第１紙片４には、宛名情報１５と、図示してはいないが、剥離開始端１２に向けた矢印と「ミシン目をウラ側に折ってからはがして下さい」という文からなる、剥離開始端指示表示（図６参照）を印字し、第２紙片５と第３紙片６には、宛名人に伝達する隠蔽情報１６，１７を印字する。なお、前記剥離開始端指示表示はあらかじめ印刷しておいてもよい。一方、葉書用紙１の裏面側には、第３紙片６に差出人情報１８と、図示していないが案内文を印字する。
【００１４】
次に、各折り用ミシン目２，３で第１紙片４と第２紙片５の裏面側同士、第２紙片５と第３紙片６の表面側同士を重ね合わせるようにＺ字状に三つ折りし、所定の圧を加えると、第１紙片４と第２紙片５の重ね合わせ面は感圧性接着剤８によって剥離困難に、第２紙片５と第３紙片６の重ね合わせ面は感圧性接着剤９によって剥離可能に、それぞれ接着されて三つ折り葉書２１となる（図３，図４参照）。この三つ折り葉書２１は一般の葉書と同様に使用可能である。
【００１５】
この三つ折り葉書２１を受領した宛名人は、剥離開始部指示表示にしたがってマイクロミシン目１０，１１部分を裏面側に折り曲げると、このマイクロミシン目１０，１１が破断するので、剥離困難に接着している第１紙片４と第２紙片５の剥離開始端部１２隣接端を摘んで捲り上げると、前記第２紙片５が第３紙片６から徐々に剥離して、前記第２紙片５と前記第３紙片６の重ね合わせ面に表示された隠蔽情報１６，１７が露出し、視認可能となる（図４参照）。この時、第１紙片４と第２紙片５の剥離開始端部１２隣接端は、接着力増強剤１４によって接着剤８の剥離困難な接着力がより増強されているので、前記両紙片４，５は一体性を維持して適宜な厚みと硬さを有し、摘み及び捲り上げ動作を容易かつ確実になし得る。
【００１６】
次いで、図５及び図６に基づき、巻き込み状に折り重ねる実施形態を説明する。図５に示すように、葉書用紙３１は、折り部たる折り用ミシン目３２，３３を介して連接した第１紙片３４、第２紙片３５、第３紙片３６からなり、第２紙片３５の表面側が宛名表示面で葉書表示３７が設けられている。この葉書用紙３１も第１実施形態と同様に、連続用紙として構成することが可能である。
【００１７】
図示してはいないが、第１紙片３４と第２紙片３５の重ね合わせ面である各裏面側には、上述の感圧性接着剤８と同一の感圧性接着剤を塗布し、第１紙片３４と第３紙片３６の重ね合わせ面である前記第１紙片３４の表面側と前記第３紙片３６の裏面側には、上述の感圧性接着剤９と同一の感圧性接着剤を塗布している。
【００１８】
図５に示すように、第１紙片３４と第２紙片３５における折り用ミシン目３２側の隅部には、前記折り用ミシン目３２から斜めに伸びるマイクロミシン目４０，４１を互いに重なるように設けて三角形状の剥離開始端部４２を形成している。この剥離開始端部４２に対応する前記第１紙片３４と第３紙片３６との剥離可能な重ね合わせ接着面の部分には、上述の感圧性接着剤８と同様の剥離困難な感圧性接着剤４３を設けている（第３紙片３６については裏面側になるため図示せず）。
【００１９】
また、図示していないが、第１紙片３４と第２紙片３５の裏面である剥離困難な重ね合わせ接着面には、剥離開始端部４２に対応するの部分及びこの部分に隣接する部分に、接着力増強剤を設けて、感圧性接着剤の接着力をより強くしている。（図２参照）
【００２０】
続いて、以上のように構成した葉書用紙３１から図６に示す三つ折り葉書５１を作成する手順について説明する。まず、葉書用紙３１の表面側に、第２紙片３５には、宛名情報４５と、剥離開始端部４２に向けた矢印と「ミシン目をウラ側に折ってからはがして下さい」という文からなる剥離開始端指示表示５０を印字し、第１紙片３４には、図示していないが宛名人に伝達する隠蔽情報を印字し、第３紙片３６には、図示していないが差出人情報と案内文を印字する。なお、前記剥離開始端指示表示５０はあらかじめ印刷しておいてもよい。一方、葉書用紙３１の裏面側には、図示していないが、第３紙片３６に宛名人に伝達する隠蔽情報を印字する。
【００２１】
次に、折り用ミシン目３２で第１紙片３４と第２紙片３５の裏面側同士を重ね合わせ、さらに折り用ミシン目３３で第１紙片３４の表面側と第３紙片３６の裏面側を重ね合わせて、巻き込み状に三つ折りし、所定の圧を加えると、第１紙片３４と第２紙片３５の重ね合わせ面は剥離困難に、第１紙片３４と第３紙片３６の重ね合わせ面は剥離可能に、それぞれ接着されて三つ折り葉書５１となる（図６参照）。この三つ折り葉書５１は一般の葉書と同様に使用可能である。
【００２２】
この三つ折り葉書５１を受領した宛名人は、剥離開始部指示表示５０にしたがってマイクロミシン目４０を裏面側に折り曲げると、このマイクロミシン目４０，４１が破断するので、剥離困難に接着している第１紙片３４と第２紙片３５の剥離開始端部４２隣接端を摘んで捲り上げると、前記第１紙片３４が第３紙片３６から徐々に剥離して、前記第１紙片３４と前記第３紙片３６の重ね合わせ面に表示された隠蔽情報（図示せず）が露出し、視認可能となる（図４参照）。この時、第１紙片３４と第２紙片３５の剥離開始端部４２隣接端は、接着力増強剤によって剥離困難な接着力がより増強されているので、前記両紙片３４，３５は一体性を維持して適宜な厚みと硬さを有し、摘み及び捲り上げ動作を容易かつ確実になし得る。
【００２３】
なお、本発明は上述の各実施形態に限定されるものではなく、例えば、Ｚ字状に折り重ねる第１実施形態では、上述の第１紙片４と第３紙片６を逆にして、第１紙片６、第２紙片５、第３紙片４として構成することもでき、この場合の剥離開始端部１２は折り用ミシン目３に沿って設けることになる。また、巻き込み状に折り重ねる第２実施形態でも、上述の第１紙片３４と第３紙片３６を逆にして、第１紙片３６、第２紙片３５、第３紙片３４として構成することもでき、この場合の剥離開始端部４２は折り用ミシン目３３に沿って設けることになる。
【図面の簡単な説明】
【００２４】
【図１】Ｚ字状に折り重ねる実施形態における三つ折り葉書となる葉書用紙の表面側を示す平面図。
【図２】同じく裏面側を示す平面図。
【図３】同じく三つ折り葉書を示す断面図。
【図４】同じく剥離状態を示す斜視図。
【図５】巻き込み状に折り重ねる実施形態における三つ折り葉書となる葉書用紙の表面側の平面図。
【図６】同じく三つ折り葉書の斜視図。
【符号の説明】
【００２５】
１，３１      葉書用紙
２，３，２２，２３      折り用ミシン目
４，３４      第１紙片
５．３５      第２紙片
６，３６      第３紙片
８，１３ａ，１３ｂ，４３      剥離困難な感圧性接着剤
９      剥離可能な感圧性接着剤
１０，１１，４０，４１      マイクロミシン目
１２，４２      剥離開始端部
１４      接着力増強剤
２１，５１      三つ折り葉書
【図１】
2005132010.tif 000003
【図２】
2005132010.tif 000004
【図３】
2005132010.tif 000005
【図４】
2005132010.tif 000006
【図５】
2005132010.tif 000007
【図６】
2005132010.tif 000008